(57)【要約】  【課題】  スイッチバック手段を備えた装置であって、構造のシンプル化が図られ、用紙の幅方向の位置ずれを確実に補正することが可能な用紙反転装置を提供する。  【解決手段】  画像形成装置１の両面印刷用ユニット２０に備えられた用紙反転装置３０は、第１の用紙搬送路である反転部進入搬送路４０と、この搬送路から分岐する第２の用紙搬送路である反転部排出搬送路５０と、用紙Ｐをスイッチバックさせてその搬送方向を切り替えるスイッチバック手段６０とを備える。搬送方向が切り替えられた用紙Ｐの搬送方向下流側には用紙検知手段３１を、さらにその下流側にはシフト手段７０を備える。スイッチバック手段６０により搬送方向が切り替えられた用紙Ｐは、シフト手段７０のシフトローラ８０の箇所に到達した時、用紙検知手段３１により幅方向位置が検知され、シフトローラ８０の用紙幅方向のシフト動作により幅方向の位置ずれが補正される。【選択図】      図４
2006206195.tif 000002
【特許請求の範囲】
【請求項１】
第１の用紙搬送路と、この第１の用紙搬送路から分岐する第２の用紙搬送路と、前記第１の用紙搬送路の、前記分岐箇所の用紙搬送方向下流側に設けられ、用紙をスイッチバックさせてその搬送方向を切り替えるスイッチバック手段とを備えた用紙反転装置において、
前記スイッチバック手段で搬送方向が切り替えられた用紙の搬送方向下流側に設けられ、用紙搬送方向と直角をなす用紙幅方向の用紙位置を検知する用紙検知手段と、この用紙検知手段の下流側に設けられ、用紙を用紙幅方向に変位させるシフト手段とを備えたことを特徴とする用紙反転装置。
【請求項２】
前記シフト手段は、用紙を搬送するローラにより用紙を用紙幅方向に変位させることを特徴とする請求項１に記載の用紙反転装置。
【請求項３】
前記シフト手段は、用紙のスキュー補正を行うことを特徴とする請求項１または請求項２に記載の用紙反転装置。
【請求項４】
請求項１〜請求項３のいずれか１項に記載の用紙反転装置を搭載したことを特徴とする画像形成装置。
【発明の詳細な説明】
【技術分野】
【０００１】
本発明は、複写機やプリンタに代表される画像形成装置に適用可能な、カットペーパー等の用紙の反転装置に関する。また、この用紙反転装置を搭載した画像形成装置に関する。
【背景技術】
【０００２】
複写機やプリンタ等の画像形成装置には、１回の操作で用紙の両面に印刷可能な両面印刷機能が備わったものが存在する。両面印刷機能は、画像形成部にて一方の面にトナー像が転写され、定着部を通過した用紙に対して、用紙反転装置を用いて他方の面を印刷可能にするものである。用紙反転装置において、この他方の面を印刷可能にする方法としては、用紙の搬送方向を切り替えるスイッチバック方式が提案されている。スイッチバック方式とは、一方の面に画像が印刷された用紙を所定の用紙搬送路に搬送し、そこで用紙の搬送を一旦停止させた後、用紙搬送路への進入時とは用紙搬送方向を逆転させて、用紙の搬送を再開するものである。このようなスイッチバック方式を採用した用紙反転装置としては、様々な構成が実用化されている。
【０００３】
一方、両面印刷を行う場合には、用紙表裏に形成する各々の画像に、用紙搬送方向と直角をなす用紙幅方向の位置ずれが発生するという問題が従来懸念されている。そこで、このような問題を解消すべく、両面印刷を可能にするスイッチバック方式を採用した用紙反転装置において、用紙の幅方向の位置ずれを補正するシフト手段を備えたものが提案され、その一例を特許文献１に見ることができる。
【特許文献１】特開平６−２５０４６４号公報（第３−５頁、図１）
【発明の開示】
【発明が解決しようとする課題】
【０００４】
特許文献１に記載の用紙反転整合装置では、用紙の搬送方向を切り替える反転ローラ装置（スイッチバック手段）を備え、この反転ローラ装置に、用紙の幅方向の位置ずれを補正するシフト機構を併設している。しかしながら、反転ローラ装置には、本来ローラの反転機構が設けられており、ここにシフト機構を併設するとなると構造が非常に複雑になり、これらの機構の制御が複雑になったり、設置スペースが増大したりする恐れもある。
【０００５】
本発明は上記の点に鑑みなされたものであり、用紙の搬送方向を切り替えるスイッチバック手段を備えた装置であって、構造のシンプル化が図られ、用紙の幅方向の位置ずれを確実に補正することが可能な用紙反転装置を提供することを目的とする。また、このような用紙反転装置を搭載した信頼性の高い画像形成装置を提供することを目的とする。
【課題を解決するための手段】
【０００６】
上記の課題を解決するため、本発明は、第１の用紙搬送路と、この第１の用紙搬送路から分岐する第２の用紙搬送路と、前記第１の用紙搬送路の、前記分岐箇所の用紙搬送方向下流側に設けられ、用紙をスイッチバックさせてその搬送方向を切り替えるスイッチバック手段とを備えた用紙反転装置において、前記スイッチバック手段で搬送方向が切り替えられた用紙の搬送方向下流側に設けられ、用紙搬送方向と直角をなす用紙幅方向の用紙位置を検知する用紙検知手段と、この用紙検知手段の下流側に設けられ、用紙を用紙幅方向に変位させるシフト手段とを備えることとした。
【０００７】
また、前記シフト手段は、用紙を搬送するローラにより用紙を用紙幅方向に変位させることとした。
【０００８】
また、前記シフト手段は、用紙のスキュー補正を行うこととした。
【０００９】
また本発明では、上記用紙反転装置を画像形成装置に搭載することとした。
【発明の効果】
【００１０】
本発明の構成によれば、用紙の搬送方向を切り替えるスイッチバック手段を備えた用紙反転装置において、スイッチバック手段で搬送方向が切り替えられた用紙の搬送方向下流側に設けられ、用紙搬送方向と直角をなす用紙幅方向の用紙位置を検知する用紙検知手段と、この用紙検知手段の下流側に設けられ、用紙を用紙幅方向に変位させるシフト手段とを備えることとしたので、シフト手段をスイッチバック手段とは独立させることができ、スイッチバック手段の箇所の構造や制御が複雑になることを防止することが可能である。さらに、用紙検知手段を設けることにより、用紙の位置ずれ補正の精度を高めることができる。したがって、構造のシンプル化が図られ、用紙の幅方向の位置ずれを確実に補正することが可能な用紙反転装置を得ることができる。
【００１１】
また、シフト手段は、用紙を搬送するローラにより用紙を用紙幅方向に変位させることとした。通常、用紙搬送路上には用紙を搬送するためのローラが多数設けられているので、本発明の構成により、この搬送ローラを、用紙の幅方向の位置ずれ補正に対して兼用することが可能となる。したがって、用紙搬送路上に、シフト手段を設けるための空間を別途確保する必要がなく、構造のシンプル化をさらに向上することができる。そして、部品点数や、組み立て工数の削減を図ることができ、大幅なコストアップを抑制することが可能となる。
【００１２】
また、シフト手段は、用紙のスキュー補正を行うこととした。ここで、用紙の「スキュー」とは、用紙の斜め送りのことを意味する。本発明の構成により、用紙の斜め送りも補正でき、用紙の位置ずれ補正の作用をさらに向上させることができる。したがって、用紙をより一層好適な姿勢に保持することが可能となる。
【００１３】
また本発明では、上記用紙反転装置を画像形成装置に搭載することとしたので、構造のシンプル化が図られ、用紙の幅方向の位置ずれを確実に補正することが可能な信頼性の高い画像形成装置を得ることができる。
【発明を実施するための最良の形態】
【００１４】
以下、本発明の実施形態を図１〜図６に基づき説明する。
【００１５】
最初に、本発明の第１の実施形態に係る用紙反転装置を搭載した画像形成装置について、図１を用いてその構造の概略を説明しつつ、画像出力動作を説明する。図１は、画像形成装置の模型的垂直断面正面図である。なお、図中の実線矢印は用紙の搬送経路、及び搬送方向を示す。
【００１６】
図１に示すように、画像形成装置１の本体２の下部には、カセット式給紙部３が配置されている。カセット式給紙部３には、印刷前のカットペーパー等の用紙Ｐが積載して収容され、ここから１枚ずつ分離して用紙Ｐが送り出される。カセット式給紙部３には、３段の給紙カセット４が備えられている。給紙カセット４は、本体２に対して前面側にスライドして引き出すことが可能である。
【００１７】
本体２の右側面上部の外部には、手差し給紙部５が備えられている。手差し給紙部５には、カセット式給紙部３に入っていないサイズの用紙Ｐや、ＯＨＰシートのように１枚ずつ送り込みたいものが載置される。
【００１８】
画像形成装置１は、その内部に用紙搬送部６を備えている。用紙搬送部６は、カセット式給紙部３に関して言えば、その給紙方向である右方に位置し、手差し給紙部５に関して言えば、その左方に位置する。カセット式給紙部３から送り出された用紙Ｐは、用紙搬送部６により本体２の側面に沿って垂直上方に、手差し給紙部５から送り出された用紙Ｐは水平に搬送され、転写部１１に至る。
【００１９】
用紙搬送部６の用紙搬送方向下流側であって、転写部１１のすぐ上流側には、レジストローラ７が備えられている。レジストローラ７は、用紙Ｐの斜め送りを矯正しつつ、後述する画像形成部１０で形成されるトナー像と同期をとって、転写部１１に向けて用紙Ｐを送り出す。
【００２０】
画像形成装置１の本体２の上面には原稿送り部８が、その下方には光学部９が備えられている。使用者が原稿の複写を行う場合には、原稿送り部８に、文字や図形、模様等の画像が描かれた原稿を積載する。原稿送り部８では１枚ずつ分離して原稿が送り出され、光学部９によってその画像データが読み取られる。
【００２１】
レジストローラ７の用紙搬送方向下流側であって、光学部９の下方には、画像形成部１０、及び転写部１１が備えられている。画像形成部１０では、光学部９によって読み取られた画像データに基づいて原稿画像の静電潜像が作られ、この静電潜像からトナー像が形成される。トナー像は、前記レジストローラ７によって同期をとって送られてきた印刷前の用紙Ｐに、転写部１１にて転写される。
【００２２】
転写部１１の下流側には、定着部１２が備えられている。転写部１１にて未定着トナー像を担持した用紙Ｐは、定着部１２へと送られ、熱ローラ及び加圧ローラによりトナー像が定着される。
【００２３】
定着部１２の下流側であって、本体２の左側面の近傍には、排出・分岐部１３が備えられている。定着部１２から排出された用紙Ｐは、両面印刷を行わない場合には、排出・分岐部１３から機外の用紙受けトレイ１４に排出される。
【００２４】
画像形成部１０から排出・分岐部１３にかけての部分の下方であって、カセット式給紙部３の上方には、両面印刷用ユニット２０が備えられている。両面印刷を行う場合には、定着部１２から排出された用紙Ｐが、排出・分岐部１３を通って両面印刷用ユニット２０へと送られる。両面印刷用ユニット２０へ送られた用紙Ｐは、続いて両面印刷用ユニット２０に備えられた用紙反転装置３０により搬送方向が切り替えられ、再度用紙搬送部６、レジストローラ７を介して転写部１１へと送られる。
【００２５】
続いて、両面印刷用ユニット２０に備えられた用紙反転装置３０の詳細な構成について、図１に加えて、図２〜図４を用いて説明する。図２は用紙反転装置の垂直断面部分正面図にして、用紙が両面印刷用ユニットの一時収容部である中間トレイへ送り込まれる時の状態を示すもの、図３は同じく用紙が中間トレイから排出される時の状態を示すものである。図４は、用紙反転装置のシフト手段を示す垂直断面右側面図及び要部上面図である。
【００２６】
図２、及び図３に示すように、用紙反転装置３０は、第１の用紙搬送路である反転部進入搬送路４０、第２の用紙搬送路である反転部排出搬送路５０、スイッチバック手段６０、用紙検知手段３１、及びシフト手段７０を備えている。
【００２７】
第１の用紙搬送路である反転部進入搬送路４０は、図１に示す排出・分岐部１３から両面印刷用ユニット２０に向かって用紙Ｐが侵入する箇所に設けられている。反転部進入搬送路４０には、上側ガイド４１、下側ガイド４２、及び搬送ローラ４３が備えられている。排出・分岐部１３から両面印刷用ユニット２０に向かう用紙Ｐは、上側ガイド４１と下側ガイド４２との間の用紙搬送空間を通り、搬送ローラ４３によってスイッチバック手段６０へと送り込まれる。
【００２８】
第２の用紙搬送路である反転部排出搬送路５０は、反転部進入搬送路４０から分岐して、図２において左方に延びている。そして、反転部排出搬送路５０は、図１に示すように下方に向かいつつぐるりと回って右方へと延び、転写部１１及び画像形成部１０の下方で用紙搬送部６に合流している。反転部排出搬送路５０は、下側ガイド５１、上側ガイド５２等の複数のガイド部材と、複数の搬送ローラ５３とを備えている。
【００２９】
スイッチバック手段６０は、反転部進入搬送路４０の、反転部排出搬送路５０との分岐箇所の用紙搬送方向下流側に設けられている。スイッチバック手段６０のさらに下流側には、一方の面が印刷された用紙Ｐを一旦収容する一時収容部である中間トレイ２１が備えられている（図１参照）。スイッチバック手段６０は、用紙Ｐを中間トレイ２１に一旦収容した後、スイッチバックさせてその搬送方向を切り替えるものである。
【００３０】
スイッチバック手段６０において、反転部進入搬送路４０の、反転部排出搬送路５０との分岐箇所のすぐ下流には、反転ローラ６１と従動ローラ６２とが備えられている。反転ローラ６１は、図示しないモータにより回転せしめられ、図２において時計方向と半時計方向とに回転方向を切り替えることにより用紙Ｐの搬送方向を切り替える。従動ローラ６２は、上方から反転ローラ６１に圧接し、反転ローラ６１の回転に従って回転する。反転ローラ６１と従動ローラ６２とが圧接することにより、用紙Ｐが挿通されるニップが形成される。
【００３１】
従動ローラ６２の上方には、ソレノイド６３が備えられている。ソレノイド６３のプランジャ６３ａは、リンク６４により従動ローラ６２の軸６２ａと連結されている。従動ローラ６２の軸６２ａは支持部材６５に設けられたローラガイド６５ａに収められている。支持部材６５は板状の部材であり、これに設けられたローラガイド６５ａは中間トレイ２１に対して垂直に切られた溝である。
【００３２】
図２、及び図３においてプランジャ６３ａが左右に移動することにより、従動ローラ６２はローラガイド６５ａに沿って中間トレイ２１に対して垂直方向上下に移動せしめられる。従動ローラ６２は、上方に移動することにより反転ローラ６１から離間し（図２参照）、下方に移動することにより当接する（図３参照）。
【００３３】
このようなスイッチバック手段６０の動作は次のようである。一方の面が印刷された用紙Ｐが、反転部進入搬送路４０を通って中間トレイ２１に送り込まれる時、従動ローラ６２が邪魔にならないようにソレノイド６３により従動ローラ６２を上方に移動させて反転ローラ６１から離間する（図２参照）。その後、反転ローラ６１を図２おいて時計方向に回転させ、用紙Ｐを中間トレイ２１へと搬送する。用紙Ｐが中間トレイ２１に収容されると、従動ローラ６２を下方に移動させて反転ローラ６１と圧接させ（図３参照）、用紙Ｐを挿通するニップを形成して、反転ローラ６１の回転を反時計方向に切り替える。そして、反転ローラ６１と従動ローラ６２とにより用紙Ｐを反転部排出搬送路５０の方へと排出する。
【００３４】
用紙検知手段３１は、図２、及び図３に示すように、スイッチバック手段６０で搬送方向が切り替えられた用紙Ｐの搬送路である反転部排出搬送路５０の、スイッチバック手段６０より下流側に設けられている。用紙検知手段３１には、図示しない光センサが備えられている。光センサは、反射式光センサ等で構成され、反転部排出搬送路５０の下側ガイド５１下方の、所定の用紙サイズの用紙幅に対応した位置に複数配置されている。これらの光センサが、反転部排出搬送路５０上を通る用紙Ｐの用紙幅方向の位置を検知する。
【００３５】
シフト手段７０は、図２、及び図３に示すように、反転部排出搬送路５０の、用紙検知手段３１の下流側に設けられている。シフト手段７０には、シフトローラ８０が備えられている。シフトローラ８０は、駆動ローラ８１と従動ローラ８２とのローラ対で構成されている。駆動ローラ８１は反転部排出搬送路５０の下方に、従動ローラ８２は上方に配置されている。
【００３６】
駆動ローラ８１は、図４に示すように、本体２の内部フレーム２ａに、回転自在に支持されている。また、駆動ローラ８１は、軸線方向、すなわち用紙幅方向にも移動可能である。駆動ローラ８１は、その一部が、反転部排出搬送路５０の下側ガイド５１から用紙搬送空間に露出している。駆動ローラ８１は、図示しないモータにより回転せしめられ、反転部排出搬送路５０上の用紙Ｐを搬送する。
【００３７】
駆動ローラ８１の一端近傍には、シフト機構９０が設けられている。シフト機構９０は、係合ピン９１、カムギア９２、駆動ギア９３、及びシフト用モータ９４を備えている。
【００３８】
係合ピン９１は、駆動ローラ８１の軸部８１ａの一端に固定されている。軸部８１ａのこの箇所の下方に、カムギア９２が配置されている。カムギア９２には、その回転面に、係合ピン９１と係合するカム溝９５が設けられている。カム溝９５は、係合ピン９１を受け入れる幅を有し、カムギア９２の回転とともに駆動ローラ８１を軸線方向に移動させる形状をなしている。カムギア９２は、駆動ギア９３に連結され、これを介してシフト用モータ９４によって回転せしめられる。
【００３９】
従動ローラ８２は、図４に示すように、反転部排出搬送路５０の上側ガイド５２に設けられた支持部材７１に、回転自在に支持されている。また、従動ローラ８２は、軸線方向、すなわち用紙幅方向及び上下方向にも移動可能である。従動ローラ８２は、その一部が、上側ガイド５２から用紙搬送空間に露出している。
【００４０】
従動ローラ８２は、その両端部に設けられた付勢手段である上下方向ばね７２により、下方、すなわち駆動ローラ８１に向かって付勢されている。これにより、従動ローラ８２は、駆動ローラ８１に圧接し、用紙Ｐを挿通させるニップが形成される。従動ローラ８２は、駆動ローラ８１の回転に従って回転する。
【００４１】
従動ローラ８２の一端には、軸線方向ばね７３が備えられている。軸線方向ばね７３は、その内部を従動ローラ８２の軸部８２ａが貫通するとともに、支持部材７１とその隣接するローラ部との間に備えられている。これにより、従動ローラ８２は、軸線方向の所定位置に向かって付勢されている。
【００４２】
続いて、用紙反転装置３０による用紙Ｐのシフト動作について、図２〜図４に加えて、図５を用いて説明する。図５は、図４と同様の用紙反転装置のシフト手段を示す垂直断面右側面図及び要部上面図にして、シフトローラを用紙幅方向に変位させた状態を示すものである。
【００４３】
図２、及び図３において、スイッチバック手段６０によって搬送方向が切り替えられた用紙Ｐは、反転部排出搬送路５０を通って、回転を停止したシフト手段７０のシフトローラ８０に突き当たり、一但停止する。ここで、用紙Ｐのスキュー、すなわち斜め送りの補正が行われる。
【００４４】
そして、用紙Ｐはシフトローラ８０のニップに挿通され、用紙検知手段３１が用紙Ｐの用紙幅方向の位置を検知する。用紙Ｐが、その用紙サイズに対応した用紙幅方向の所定の位置からずれている場合、図４に示すシフト手段７０に設けられたシフト機構９０のシフト用モータ９４を駆動させ、図５に示すように、シフトローラ８０を軸線方向、すなわち用紙幅方向に変位させる。
【００４５】
その後、用紙Ｐはさらに下流側へと搬送され、次に用紙Ｐが遭遇する搬送ローラ５３（図１参照）に到達するまでに、用紙幅方向の位置ずれの補正が完了する。
【００４６】
このようにして、用紙Ｐの搬送方向を切り替えるスイッチバック手段６０を備えた用紙反転装置３０は、スイッチバック手段６０で搬送方向が切り替えられた用紙Ｐの搬送方向下流側に設けられ、用紙搬送方向と直角をなす用紙幅方向の用紙位置を検知する用紙検知手段３１と、この用紙検知手段３１の下流側に設けられ、用紙Ｐを用紙幅方向に変位させるシフト手段７０とを備えるので、シフト手段７０をスイッチバック手段６０とは独立させることができ、スイッチバック手段６０の箇所の構造や制御が複雑になることを防止することが可能である。さらに、用紙検知手段３１を設けることにより、用紙Ｐの位置ずれ補正の精度を高めることができる。したがって、構造のシンプル化が図られ、用紙Ｐの幅方向の位置ずれを確実に補正することが可能な用紙反転装置３０を得ることができる。
【００４７】
また、シフト手段７０は、用紙Ｐを搬送するシフトローラ８０により用紙Ｐを用紙幅方向に変位させる。通常、用紙搬送路上には用紙Ｐを搬送するためのローラが多数設けられているので、本発明の構成により、この搬送ローラであるシフトローラ８０を、用紙Ｐの幅方向の位置ずれ補正に対して兼用することが可能となる。したがって、用紙搬送路上に、シフト手段７０を設けるための空間を別途確保する必要がなく、構造のシンプル化をさらに向上することができる。そして、部品点数や、組み立て工数の削減を図ることができ、大幅なコストアップを抑制することが可能となる。
【００４８】
さらに、シフト手段７０は、用紙Ｐのスキュー補正を行うので、用紙Ｐの斜め送りも補正でき、用紙Ｐの位置ずれ補正の作用をさらに向上させることができる。したがって、用紙Ｐをより一層好適な姿勢に保持することが可能となる。
【００４９】
また本発明では、上記用紙反転装置３０を画像形成装置１に搭載したので、構造のシンプル化が図られ、用紙Ｐの幅方向の位置ずれを確実に補正することが可能な信頼性の高い画像形成装置１を得ることができる。
【００５０】
次に、本発明の第２の実施形態に係る用紙反転装置を搭載した画像形成装置について、図６を用いて説明する。図６は、画像形成装置の模型的垂直断面正面図である。なお、この実施形態の基本的構成は、前記図１に示す第１の実施形態と同じであるので、第１の実施形態と共通する構成要素には前と同じ符号を付すとともに、詳細な図面の記載、およびそれらの説明を省略するものとする。
【００５１】
第２の実施形態に係る画像形成装置１は、本体２に胴内用紙排出トレイ１５を備えたタイプである。画像形成装置１は、第１の実施形態と同様に本体２の下部にカセット式給紙部３を備え、用紙搬送部６により上方に用紙Ｐを搬送しつつ画像形成部１０、転写部１１、及び定着部１２により用紙Ｐに画像を形成する。
【００５２】
定着部１２の上方には、排出・分岐部１３が備えられている。定着部１２から排出された用紙Ｐは、両面印刷を行わない場合には、排出・分岐部１３から本体２の胴内に設けられた胴内用紙排出トレイ１５に排出される。このような排出・分岐部１３に、本発明の用紙反転装置３０が設けられている。
【００５３】
排出・分岐部１３から胴内用紙排出トレイ１５に向かって用紙Ｐが排出されるその排出口部分は、スイッチバック手段６０としての機能を果たす。両面印刷を行う場合には、このスイッチバック手段６０により、定着部１２から排出された用紙Ｐの搬送方向が切り替えられる。
【００５４】
スイッチバック手段６０で搬送方向が切り替えられた用紙Ｐに対し、スイッチバック手段６０より搬送方向下流側に、用紙検知手段３１が設けられている。さらに用紙検知手段３１の下流側に、シフト手段７０が設けられている。これらの箇所を通った用紙Ｐは、図６において、定着部１２、及び転写部１１の左方を通って下方に送られ、再度用紙搬送部６を経て転写部１１へと送られる。
【００５５】
このような胴内用紙排出トレイ１５を備えた画像形成装置１においても、用紙反転装置３０は第１の実施形態と同様に機能する。したがって、構造がシンプルな用紙反転装置３０により、用紙Ｐの幅方向の位置ずれを確実に補正することが可能である。
【００５６】
以上、本発明の実施形態につき説明したが、本発明の範囲はこれに限定されるものではなく、発明の主旨を逸脱しない範囲で種々の変更を加えて実施することができる。
【産業上の利用可能性】
【００５７】
本発明は、用紙の搬送方向を切り替えるスイッチバック手段を備えた用紙反転装置において利用可能である。
【図面の簡単な説明】
【００５８】
【図１】本発明の第１の実施形態に係る用紙反転装置を搭載した画像形成装置の模型的垂直断面正面図である。
【図２】図１に示す用紙反転装置の垂直断面部分正面図にして、用紙が中間トレイへ送り込まれる時の状態を示すものである。
【図３】図１に示す用紙反転装置の垂直断面部分正面図にして、用紙が中間トレイから排出される時の状態を示すものである。
【図４】図２に示す用紙反転装置のシフト手段を示す垂直断面右側面図及び要部上面図である。
【図５】図４と同様のシフト手段を示す垂直断面右側面図及び要部上面図にして、シフトローラを用紙幅方向に変位させた状態を示すものである。
【図６】本発明の第２の実施形態に係る用紙反転装置を搭載した画像形成装置の模型的垂直断面正面図である。
【符号の説明】
【００５９】
１    画像形成装置
１３  排出・分岐部
２０  両面印刷用ユニット
３０  用紙反転装置
３１  用紙検知手段
４０  反転部進入搬送路（第１の用紙搬送路）
５０  反転部排出搬送路（第２の用紙搬送路）
６０  スイッチバック手段
７０  シフト手段
８０  シフトローラ
９０  シフト機構
【図１】
2006206195.tif 000003
【図２】
2006206195.tif 000004
【図３】
2006206195.tif 000005
【図４】
2006206195.tif 000006
【図５】
2006206195.tif 000007
【図６】
2006206195.tif 000008